(57)【特許請求の範囲】
【請求項１】
第１のウェブページへのリンク先を含む第２のウェブページを受信する受信部と、
前記第２のウェブページを表示する表示部と、
前記表示部に対するユーザのタッチ操作を検出するタッチ検出部と、
ユーザによる第１のタッチ操作に基づき、前記表示部に表示される前記第２のウェブページの表示サイズを変更し、
前記第２のウェブページが第１の表示サイズにて表示されている場合において、前記表示部に表示された前記リンク先に対して第２のタッチ操作が検出されたときは、前記第１のウェブページを前記表示部に表示し、
そして前記第２のウェブページが第１の表示サイズよりも大きい第２の表示サイズにて表示されている場合において、前記表示部に表示された前記リンク先に対して第２のタッチ操作が検出されたとしても前記第１のウェブページを前記表示部に表示しないように設定されているときに、第３のタッチ操作が前記表示部に表示された前記リンク先に対して検出されたときは、前記第１のウェブページを前記表示部に表示する制御部と、を有する携帯電子機器。
【請求項２】
前記制御部は、前記リンク先を前記表示部に表示する場合において、前記第１の表示サイズで前記表示部に表示するときは第１の表示態様で表示し、前記第２の表示サイズで表示するときは第１の表示態様とは異なる第２の表示態様で表示すること、
を特徴とする請求項１に記載の携帯電子機器。
【請求項３】
前記制御部は、前記第２のウェブページが第１の表示サイズよりも大きい第２の表示サイズにて表示されているときは、前記リンク先に対するタッチ操作を無効とすること、
を特徴とする請求項１又は請求項２に記載の携帯電子機器。
【請求項４】
前記制御部は、前記第２のタッチ操作を無効にしたときは、第１の通知を行うこと、
を特徴とする請求項１又は請求項２に記載の携帯電子機器。
【請求項５】
前記制御部は、前記第１の通知として前記表示部の所定のメッセージを表示すること、
を特徴とする請求項４に記載の携帯電子機器。
【請求項６】
振動する振動部を更に有し、
前記制御部は、前記第１の通知として前記振動部を振動させること、
を特徴とする請求項５に記載の携帯電子機器。
【請求項７】
前記第１のタッチ操作は、ユーザによるタッチが検出された後、当該タッチを用いて所定の軌跡を描く操作であり、
前記制御部は、前記第２のウェブページを前記第１の表示サイズで表示している場合において前記所定の軌跡が検出されたときは、前記第２のウェブページを前記第２の表示サイズで表示すること、
を特徴とする請求項１乃至請求項６のいずれか１つに記載の携帯電子機器。
【請求項８】
前記第１のタッチ操作は、ユーザによる第１のタッチと第２のタッチが検出された後、前記第１のタッチの位置と前記第２のタッチの位置との距離を伸ばす操作であり、
前記制御部は、前記第２のウェブページを前記第１の表示サイズで表示している場合に
おいて前記第１のタッチの位置と前記第２のタッチの位置との距離が伸びたときは、前記第２のウェブページを前記第２の表示サイズで表示すること、
を特徴とする請求項１乃至請求項７のいずれか１つに記載の携帯電子機器。
【請求項９】
特定の文字列と所定の処理とを関連付けて記憶する記憶部と、
前記特定の文字列を有する情報を表示する表示部と、
前記表示部に対するユーザのタッチ操作を検出するタッチ検出部と、
ユーザによる第１のタッチ操作に基づき、前記表示部に表示される前記情報の表示サイズを変更し、
前記情報が第１の表示サイズにて表示されている場合において、前記表示部に表示された前記特定の文字列に対して第２のタッチ操作が検出されたときは、前記所定の処理を実行し、
そして前記情報が第１の表示サイズよりも大きい第２の表示サイズにて表示されている場合において、前記表示部に表示された前記特定の文字列に対して第２のタッチ操作が検出されたとしても前記所定の処理を実行しないように設定されているときに、第３のタッチ操作が前記表示部に表示された前記特定の文字列に対して検出されたときは、前記特定の文字列に関連付けられた前記所定の処理を実行する制御部と、を有する携帯電子機器。
【請求項１０】
前記制御部は、前記特定の文字列を前記表示部に表示する場合において、前記第１の表示サイズで前記表示部に表示するときは第３の態様で表示し、前記第２の表示サイズで表示するときは第３の態様とは異なる第４の態様で表示すること、
を特徴とする請求項９に記載の携帯電子機器。
【請求項１１】
前記制御部は、前記情報が第１の表示サイズよりも大きい第２の表示サイズにて表示されているときは、前記特定の文字列に対するタッチ操作を無効とすること、
を特徴とする請求項９又は請求項１０に記載の携帯電子機器。
【請求項１２】
前記制御部は、前記第２のタッチ操作を無効にしたときは、第２の通知を行うこと、
を特徴とする請求項９又は請求項１０に記載の携帯電子機器。
【請求項１３】
前記制御部は、前記第２の通知として前記表示部の所定のメッセージを表示すること、
を特徴とする請求項１２に記載の携帯電子機器。
【請求項１４】
振動する振動部を更に有し、
前記制御部は、前記第２の通知として前記振動部を振動させること、
を特徴とする請求項１２に記載の携帯電子機器。
【請求項１５】
前記第１のタッチ操作は、ユーザによるタッチが検出された後、当該タッチを用いて所定の軌跡を描く操作であり、
前記制御部は、前記情報を前記第１の表示サイズで表示している場合において前記所定の軌跡が検出されたときは、前記情報を前記第２の表示サイズで表示すること、
を特徴とする請求項９乃至請求項１２のいずれか１つに記載の携帯電子機器。
【請求項１６】
前記第１のタッチ操作は、ユーザによる第１のタッチと第２のタッチが検出された後、前記第１のタッチの位置と前記第２のタッチの位置との距離を伸ばす操作であり、
前記制御部は、前記情報を前記第１の表示サイズで表示している場合において前記第１
のタッチの位置と前記第２のタッチの位置との距離が伸びたときは、前記情報を前記第２の表示サイズで表示すること、
を特徴とする請求項９乃至請求項１５のいずれか１つに記載の携帯電子機器。                                                                         
【発明の詳細な説明】
【技術分野】
【０００１】
本発明は、タッチパネルを有する携帯電子機器に関する。
【背景技術】
【０００２】
ディスプレイの前面にタッチパネルが重ねて配置されているスマートフォン等の電子機器が知られている。特許文献１には、ディスプレイに表示されたブラウザ画面にはＵＲＬ（Ｕｎｉｆｏｒｍ  Ｒｅｓｏｕｒｃｅ  Ｌｏｃａｔｏｒ）等のリンクが貼られた文字等が示され、ブラウザ画面中のリンクが張られた文字又は画像の表示部分にユーザが指等で触れると、そのリンク先の情報をブラウザ画面に表示することが記載されている。また特許文献２には、簡易な操作で画面を拡大又は縮小することが記載されている。
【先行技術文献】
【特許文献】
【０００３】
【特許文献１】特開２００４−２９５７２２号公報
【特許文献２】特開２０１１−１８６７３４号公報
【発明の概要】
【発明が解決しようとする課題】
【０００４】
しかしながら、ユーザが表示サイズを拡大した場合、リンクが張られた文字等も拡大されるため、表示サイズを拡大する前と比較してユーザが誤ってリンクに指等で触れる可能性が高まる。
【０００５】
そのため、本発明は係る問題に鑑みてなされたものであり、表示サイズの拡大に伴う誤操作の可能性を低減することができる携帯電子機器を提供することを目的とする。
【課題を解決するための手段】
【０００６】
上記課題を解決するために本発明に係る携帯電子機器は、第１のウェブページへのリンク先を含む第２のウェブページを受信する受信部と、前記第２のウェブページを表示する表示部と、前記表示部に対するユーザのタッチ操作を検出するタッチ検出部と、ユーザによる第１のタッチ操作に基づき、前記表示部に表示される前記第２のウェブページの表示サイズを変更し、前記第２のウェブページが第１の表示サイズにて表示されている場合において、前記表示部に表示された前記リンク先に対して第２のタッチ操作が検出されたときは、前記第１のウェブページを前記表示部に表示させ、そして前記第２のウェブページが第１の表示サイズよりも大きい第２の表示サイズにて表示されている場合において、前記表示部に表示された前記リンク先に対して第２のタッチ操作が検出されたときは、前記第１のウェブページを前記表示部に表示しない制御部と、を有することを特徴とする。
【０００７】
また本発明に係る携帯電子機器は、特定の文字列と所定の処理とを関連付けて記憶する記憶部と、前記特定の文字列を有する情報を表示する表示部と、前記表示部に対するユーザのタッチ操作を検出するタッチ検出部と、ユーザによる第１のタッチ操作に基づき、前記表示部に表示される前記情報の表示サイズを変更し、前記情報が第１の表示サイズにて表示されている場合において、前記表示部に表示された前記特定の文字列に対して第２のタッチ操作が検出されたときは、前記所定の処理を実行し、そして前記情報が第１の表示サイズよりも大きい第２の表示サイズにて表示されている場合において、前記表示部に表示された前記特定の文字列に対して第２のタッチ操作が検出されたときは、前記所定の処理を実行しない制御部と、を有することを特徴とする。
【発明の効果】
【０００８】
本発明に係る携帯電子機器によれば、表示サイズを拡大した場合における誤操作を低減することを期待することができる。
【図面の簡単な説明】
【０００９】
【図１】携帯電話機１００の外観斜視図である。
【図２】携帯電話機１００の構成図である。
【図３】プロセッサ２００が実行する拡大処理及び縮小処理の一例を説明するためのフローチャートである。
【図４】携帯電話機１００がウェブページを表示するまでの処理の一例を説明するためのフローチャートである。
【図５】プロセッサ２００が実行するリンク情報の選択操作を無効とする処理の一例を説明するためのフローチャートである。
【図６】プロセッサ２００が実行するリンク情報の選択操作を無効とする処理の一例を説明するためのフローチャートである。
【図７】ディスプレイ１０２に表示されるウェブページの一例を示す図である。
【図８】ディスプレイ１０２に表示されるウェブページの一例を示す図である。
【図９】ディスプレイ１０２に表示されるウェブページの一例を示す図である。
【発明を実施するための形態】
【００１０】
以下、本発明に係る携帯電子機器の実施の形態としての携帯電話機１００について説明する。
＜携帯電話機１００の構成について＞
図１に示される携帯電話機１００は、一例としてスマートフォン（smartphone）であり、縦長の扁平矩形のハウジング１０１を含む。ただし、この開示の実施の形態は、タブレット端末、タブレット型ＰＣおよびＰＤＡなど任意の携帯電子機器に適用可能であることを予め指摘しておく。
【００１１】
ハウジング１０１の主面（表面）には、たとえば液晶や有機ＥＬなどで構成され、表示部として機能するディスプレイ１０２が設けられる。ディスプレイ１０２の上には、タッチパネル１０３が設けられる。
【００１２】
ハウジング１０１の縦方向一端の主面側にスピーカ１０４が内蔵され、縦方向他端の主面側にマイク１０５が内蔵される。
【００１３】
タッチパネル１０３と共に入力装置２０５を構成するハードキーとして、たとえば、ハウジング１０１の主面にはメニューキー１０６ａが設けられ、ハウジング１０１の側面には電源キー１０６ｂが設けられる。
【００１４】
また、スピーカ１０４の近くには、近接センサ１０７および照度センサ１０８が設けられる。ただし、近接センサ１０７の検出面と照度センサ１０８の検出面とはハウジング１０１から露出するように設けられ、その他の部分はハウジング１０１に内蔵される。
【００１５】
たとえば、ユーザは、ディスプレイ１０２に表示されたダイヤルパッドに対して、タッチ操作を行うことで電話番号を入力できる。そしてユーザは、ディスプレイ１０２に表示された着呼キー（図示せず）に対してタッチ操作を行うことで音声通話を開始できる。
【００１６】
音声通話が開始されると、ディスプレイ１０２には終話キーが表示され、この終話キーに対してタッチ操作が行われると、音声通話が終了する。
【００１７】
また、メニューキー１０６ａが操作されると、ディスプレイ１０２にホーム画面が表示される。ユーザは、ディスプレイ１０２に表示されているアイコンおよびキーなどのＧＵＩ（Ｇｒａｐｈｉｃａｌ  Ｕｓｅｒ  Ｉｎｔｅｒｆａｃｅ）に対して、タッチ操作を行うことによってアイコンおよびキーなどを選択し、その選択を確定させることができる。
【００１８】
また、ユーザは、電源キー１０６ｂを長押しすることによって、携帯電話機１００の電源をオン／オフすることができる。また、ディスプレイ１０２に画面が表示されている状態で電源キー１０６ｂが短押しされると、ディスプレイ１０２およびタッチパネル１０３の電源がオフにされる。
【００１９】
なお、以下の説明では、ディスプレイ１０２に表示されるアイコンおよびソフトキーなどのＧＵＩは、まとめてオブジェクトと言うことがある。
【００２０】
ここで、タッチ操作とは、タッチパネル１０３の表面に対する指のタッチ（接触）を含む操作である。タッチ操作には、たとえば、タップ操作、ロングタップ操作、フリック操作、スワイプ（スライド）操作などが含まれる。
【００２１】
タップ操作は、タッチパネル１０３の表面に指を接触（タッチ）させた後、短時間のうちにタッチパネル１０３の表面から指を離す（リリースする）操作である。ロングタップ操作は、一定時間以上、指をタッチパネル１０３の表面に接触させ続けた後、指をタッチパネル１０３の表面から離す操作である。フリック操作は、タッチパネル１０３の表面に指を接触させ、任意の方向へ所定速度以上で指を弾きながら指を表面から離す操作である。スワイプ（スライド）操作は、タッチパネル１０３の表面に指を接触させたまま任意の方向へ移動させた後、タッチパネル１０３の表面から指を離す操作である。
【００２２】
また、上記のスワイプ操作には、ディスプレイ１０２の表面に表示されたオブジェクトに指を触れ、オブジェクトを移動させる操作、及び、オブジェクトの移動を伴わず、タッチパネル１０３の表面に指を接触させたまま任意の方向へ移動させる操作を含む。スワイプ操作のうち、オブジェクトを移動させる操作は、ドラッグ操作とも称される場合がある。また、ドラッグ操作によりオブジェクトを移動させた後、タッチパネル１０３の表面から指を離す操作をドロップ操作と称する場合がある。例えばドロップ操作により、オブジェクトの移動後の位置が確定し、指を離した位置にオブジェクトが表示される。
【００２３】
なお、以下の説明では、タップ操作、ロングタップ操作、フリック操作、スワイプ操作、ドラッグ操作およびドロップ操作は、それぞれ「操作」を省略して記述されることがある。また、タッチ操作はユーザの指だけに限らず、スタイラスペンなどによって行われてもよい。
【００２４】
図２を参照して、図１に示す携帯電話機１００は、コンピュータまたはＣＰＵであるプロセッサ２００などを含む。プロセッサ２００には、近接センサ１０７、照度センサ１０８、第１無線通信回路２０１、第２無線通信回路２０２、Ａ／Ｄ変換器２０３、Ｄ／Ａ変換器２０４、入力装置２０５、表示ドライバ２０６、フラッシュメモリ２０７、ＲＡＭ２０８、タッチパネル制御回路２０９、バイブレータ２１０および電源回路２１１などが接続される。尚、プロセッサ２００は制御部と称する場合もある。
【００２５】
プロセッサ２００は、携帯電話機１００の全体制御を司ることが可能である。記憶部であるＲＡＭ２０８には、フラッシュメモリ２０７に予め設定されているプログラムの全部または一部が使用に際して展開され、プロセッサ２００はこのＲＡＭ２０８上のプログラムに従って動作することが可能である。また、ＲＡＭ２０８はさらに、プロセッサ２００のワーキング領域ないしバッファ領域として用いられる。プロセッサ２００の詳細につい
ては後述する。
【００２６】
入力装置２０５は、図１に示すハードキーを含むものである。そのため、入力装置２０５は、ハードキーに対するキー操作を受け付けることが可能である。入力装置２０５は、ハードキーの入力操作を受け付けると、そのハードキーの情報（キーデータ）をプロセッサ２００に入力することが可能である。
【００２７】
第１無線通信回路２０１は、アンテナ２１３を通して、音声通話およびメールなどのための電波を送受信するための回路である。第１無線通信回路２０１は、たとえば、ＣＤＭＡ（Ｃｏｄｅ  Ｄｉｖｉｓｉｏｎ  Ｍｕｌｔｉｐｌｅ  Ａｃｃｅｓｓ）方式での無線通信を行うための回路である。たとえば、タッチパネル１０３が受け付けた発呼（音声発信）の操作に基づき、第１無線通信回路２０１は、プロセッサ２００の指示の下、音声発信処理を実行し、アンテナ２１３を介して音声発信信号を出力する。音声発信信号は、基地局および通信網を経て相手の電話機に送信される。そして、相手の電話機において音声着信処理が行われると、通信可能状態が確立され、プロセッサ２００は通話処理を実行する。
【００２８】
第２無線通信回路２０２は、アンテナ２１４を通じてサーバーとの間でデータの送受信をするための回路である。第２無線通信回路２０２は、例えば、ＬＴＥ（Ｌｏｎｇ  Ｔｅｒｍ  Ｅｖｏｌｕｔｉｏｎ）方式の無線通信を行うための回路である。例えば、タッチパネル１０３が受け付けた操作に基づき、第２無線通信回路２０２は、プロセッサ２００の指示の下、アンテナ２１４を介してサーバーに対してＵＲＬ等の情報を送信し、サーバーからウェブページに関する情報を受信する。受信したウェブページに関する情報は、ディスプレイ１０２に表示される。また、表示されたウェブページにリンク情報が含まれている場合において、ユーザによりリンク情報に対してタッチ操作が行われた場合は、第２無線通信回路２０２は、プロセッサ２００の指示の下、アンテナ２１４を介してサーバーに対してリンク情報に含まれる情報を送信する。そして第２無線通信回路２０２は、サーバーからリンク先のウェブページに関する情報を受信する。受信したリンク先のウェブページに関する情報は、ディスプレイ１０２に表示される。尚、第２無線通信回路２０２は、ＬＴＥ方式の無線通信以外にも、ＷｉＦｉ（Ｗｉｒｅｌｅｓｓ  Ｆｉｄｅｌｉｔｙ）方式等の無線通信を行ってもよい。
【００２９】
Ａ／Ｄ変換器２０３には図１に示すマイク１０５が接続される。上述のようにマイク１０５からの音声信号はＡ／Ｄ変換器２０３でディジタルの音声データに変換され、当該音声データはプロセッサ２００に入力される。一方、Ｄ／Ａ変換器２０４には図１に示すスピーカ１０４が接続される。Ｄ／Ａ変換器２０４、ディジタルの音声データを音声信号に変換して、アンプを介してスピーカ１０４に与えることが可能である。したがって、音声データに基づく音声がスピーカ１０４から出力される。そして、通話処理が実行されている状態では、マイク１０５によって集音された音声が相手の電話機に送信され、相手の電話機で集音された音声がスピーカ１０４から出力される。
【００３０】
表示ドライバ２０６には図１に示すディスプレイ１０２が接続される。したがって、ディスプレイ１０２はプロセッサ２００から出力される映像または画像データに従って映像または画像を表示することが可能である。表示ドライバ２０６は表示する画像データを一時的に記憶するビデオメモリを含んでいる。プロセッサ２００から出力されたデータはこのビデオメモリに記憶される。そして、表示ドライバ２０６は、ビデオメモリの内容に従って、ディスプレイ１０２に画像を表示する。つまり、表示ドライバ２０６は、プロセッサ２００の指示の下、当該表示ドライバ２０６に接続されたディスプレイ１０２の表示を制御する。そのため、プロセッサ２００は表示制御部と言うことがある。なお、ディスプレイ１０２には、バックライトが設けられており、表示ドライバ２０６はプロセッサ２００の指示に従って、そのバックライトの明るさおよび点灯／消灯を制御することが可能で
ある。
【００３１】
タッチパネル制御回路２０９には、図１に示すタッチパネル１０３が接続される。タッチパネル制御回路２０９は、タッチパネル１０３に必要な電圧などを付与すると共に、タッチパネル１０３に対するタッチの開始を示すタッチ開始信号、タッチの終了を示す終了信号、およびタッチされたタッチ位置を示す座標データをプロセッサ２００に入力することが可能である。したがって、プロセッサ２００はこの座標データおよびその座標データの変化に基づいて、タッチされたオブジェクトを判断することが可能である。
【００３２】
例えば、タッチパネル１０３は、その表面と指などの物体（以下、便宜上合わせて指と言う。）との間に生じる静電容量の変化を検出する静電容量方式のタッチパネル１０３である。タッチパネル１０３は、たとえば１本または複数本の指がタッチパネル１０３に触れたことを検出することが可能である。そのため、タッチパネル１０３はポインティングデバイスと言うことがある。タッチパネル制御回路２０９は、タッチパネル１０３のタッチ有効範囲内でのタッチを検出して、そのタッチの位置を示す座標データをプロセッサ２００に出力することが可能である。つまり、ユーザは、タッチパネル１０３の表面に対してタッチ操作を行うことで、操作位置および操作方向などを携帯電話機１００に入力することが可能である。なお、タッチパネル制御回路２０９は、タッチパネル１０３に対するタッチ操作での静電容量の変化量を検出することもできる。尚、本実施例においては静電容量方式のタッチパネルを用いて記載するが、静電容量式のタッチパネルに限定されない。例えばタッチパネルの表面を指等の物体が押す圧力の変化を検出する感圧式のタッチパネルを用いても良い。そして、上述したタッチ操作、たとえばタップ操作、ロングタップ操作、フリック操作、スワイプ（スライド）操作などは感圧式のタッチパネルを用いても実現できる。
【００３３】
また、タッチパネル１０３には、ユーザが手袋を装着している手でもタッチを検出することが可能な高感度モードを設定することができる。具体的には、タッチ操作を開始するときの最初のタッチの静電容量の変化量によってモードが自動的に設定される。たとえば、静電容量の変化量が閾値（第１の閾値）よりも小さければ、手袋をつけた状態でタッチが行われていると判断され、タッチと判定するための設定値が通常の設定値よりも小さい値に設定される。そして、タッチと判定するための設定値が通常の設定値よりも小さい値にされた状態を、高感度モードと言う。これに対して、タッチと判定するための設定値が通常の設定値にされた状態を、通常モードと言う。高感度モードでは、タッチ（単なる接触）が検出され易くなることから、タップ操作等のタッチ操作が検出され易くなる。プロセッサ２００は、タッチパネル制御回路２０９で検出された静電容量の変化量が、タッチと判定するための設定値よりも大きければ、タッチパネル１０３に対してタッチされたと判断する。高感度モードでの、タッチと判定するための設定値を「第２の閾値」と呼び、通常モードでの、タッチと判定するための設定値を「第３の閾値」と呼ぶと、第２の閾値＜第１の閾値＜第３の閾値となる。
【００３４】
なお、タッチ操作の静電容量の変化量が、タッチと判定するための設定値より大きいかの判断をプロセッサ２００が行っているが、タッチパネル制御回路２０９が判断するようにしてもよい。
【００３５】
携帯電話機１００では、無操作の状態で所定時間（たとえば、１５秒）が経過すると、自動的にディスプレイ１０２およびタッチパネル１０３の電源がオフにされる。
【００３６】
近接センサ１０７は、図示は省略するが、発光素子（たとえば、赤外線ＬＥＤ）と受光素子（たとえば、フォトダイオード）とを含む。プロセッサ２００は、フォトダイオードの出力の変化から、近接センサ１０７に近接する物（たとえば、携帯電話機１００に近接
するユーザの顔や服など）の距離を算出することが可能である。具体的には、発光素子は赤外線を発光し、受光素子は、顔などの物で反射した赤外線を受光する。たとえば、受光素子がユーザの顔から遠い場合は、発光素子から発せられた赤外線は受光素子によってほとんど受光されない。一方、近接センサ１０７にユーザの顔が近接すると、発光素子が発光した赤外線は顔に反射して受光素子によって受光される。このように、受光素子は近接センサ１０７がユーザの顔に近接している場合とそうでない場合とで赤外線の受光量が変化するため、プロセッサ２００は、その受光量に基づいて、近接センサ１０７から物までの距離を算出することが出来る。そして、プロセッサ２００は、算出した距離が一定値より小さいときに、物が近接していると判断する。なお、近接センサ１０７は、物の近接を検出するために利用されることから、近接検出部と言うことがある。
【００３７】
照度センサ１０８は、アレイ状に集積されたフォトダイオードなどを含む。各フォトダイオードは、受光すると出力が変化する。プロセッサ２００は、各フォトダイオードの出力の変化に基づいて、携帯電話機１００の周囲の明るさ（照度）を検出する。また、他の実施例では、フォトダイオードに代えてフォトトランジスタが利用されてもよい。なお、照度センサ１０８は、周囲の照度を検出するために利用されることから、照度検出部と言うことがある。
【００３８】
バイブレータ２１０は、偏心重が回転軸に取り付けられたモータであり、プロセッサ２００によってオン／オフが制御される。バイブレータ２１０が動作（オン）すると、バイブレータ２１０の振動によって携帯電話機１００も振動する。たとえば、着呼したときにバイブレータ２１０を動作させることで、着呼状態をユーザに通知することが出来る。また、タッチ操作が検出されたときにバイブレータ２１０を動作させることで、ユーザに対してタッチ操作が検出されたことを通知する。
【００３９】
電源回路２１１は電源管理用のＩＣである。電源回路２１１は二次電池２１２の電圧に基づく電力をシステム全体に供給することが可能である。ここで、電源回路２１１が電力をシステム全体に供給している状態を、電源オン状態と言うことにする。一方、電源回路２１１が電力をシステム全体に供給していない状態を、電源オフ状態と言うことにする。上述したように、電源回路２１１は、電源オフ状態で電源キー１０６ｂが長押し（電源オン操作）されると起動され、電源オン状態で電源キー１０６ｂが長押し（電源オフ操作）されると停止される。さらに、電源オフ状態であっても、電源回路２１１は、図示しない外部電源コネクタに外部電源が接続され、二次電池２１２に電力が供給（充電）されると起動し、二次電池２１２の満充電状態が検出されると停止する。また、「充電」とは、外部電源コネクタが外部電源と接続され外部電源から電力の供給を受け、二次電池２１２が電気エネルギーを蓄えることを言う。なお、電源回路２１１および二次電池２１２をまとめて電源部と言うことがある。
＜表示サイズの拡大及び縮小処理について＞
次に、ディスプレイ１０２に表示される情報の表示サイズの拡大及び縮小処理について説明する。プロセッサ２００は、ディスプレイ１０２に所定の情報を表示している場合において、ユーザにより所定の操作を受け付けたときは、ディスプレイ１０２に表示されている所定の情報の表示サイズを変更することができる。具体的には、プロセッサ２００は、ディスプレイ１０２に表示された情報の表示サイズを拡大又は縮小して表示することができる。
【００４０】
図３は、プロセッサ２００がディスプレイ１０２に表示されている情報の表示サイズを変更する際に行う処理の一例を示している。
【００４１】
プロセッサ２００は、予め決められた表示サイズで所定の情報をディスプレイ１０２に表示する（Ｓ３０１）。尚、予め決められた表示サイズとは、例えば拡大及び縮小をして
いないサイズであり基準サイズと称する場合がある。所定の情報とは、第２無線通信回路２０２を介して受信したウェブページに関する情報、及び受信したメールの内容等である。次にプロセッサ２００は、ユーザによる第１のタッチが検出されたか否かを判定する（Ｓ３０２）。第１のタッチが検出された場合（Ｓ３０２のＹＥＳ）、第１のタッチとは異なる第２のタッチが検出されたか否かを判定する（Ｓ３０３）。プロセッサ２００は、第１のタッチ及び第２のタッチが検出された場合は（Ｓ３０２のＹＥＳ、かつＳ３０３のＹＥＳ）、第１のタッチの位置と第２のタッチの位置との距離を第１の距離（Ｌ１）として算出する（Ｓ３０４）。
【００４２】
プロセッサ２００は、第１の距離を算出した後、所定時間経過後（Ｓ３０５のＹＥＳ）に第１のタッチの位置と第２のタッチの位置との距離を第２の距離（Ｌ２）として再度算出する（Ｓ３０６）。尚、プロセッサ２００は、第２の距離を算出した後も、第１のタッチ及び第２のタッチのうち、少なくともいずれか一方のタッチが検出されなくなるまで（Ｓ３０９のＮＯ）、所定時間経過する度に第１のタッチの位置と第２のタッチの位置との距離を算出し、算出した距離を第２の距離とする。つまり、第２の距離は、所定時間経過毎に更新されることになる。
【００４３】
尚、第２のタッチが検出されていない場合において、ユーザが第１のタッチを用いてタッチ操作を行ったときは、当該タッチ操作に対応した処理を実行する。例えばタッチ操作がスライド操作である場合には、ディスプレイ１０２に表示されている内容をスクロールする。また、第１のタッチ及び第２のタッチのうち、第１のタッチが検出されなくなった場合は、プロセッサ２００は、第２のタッチを第１のタッチとみなし処理を継続してもよい。
【００４４】
プロセッサ２００は、第２の距離を算出した後、第２の距離は第1の距離の何倍である
かを算出する（Ｓ３０７）。具体的には、プロセッサ２００は、Ｌ２／Ｌ１を算出する。プロセッサ２００は、算出された値を倍率として設定する。プロセッサ２００は、設定された倍率に基づいて、ディスプレイ１０２に表示された情報の表示サイズを、設定された倍率に基づき変更する（Ｓ３０８）。これにより、プロセッサ２００は、表示サイズを変更することができる。尚、Ｌ２／Ｌ１の値が１よりも大きい場合には、表示サイズは拡大されることになり、Ｌ２／Ｌ１の値が１よりも小さい場合には、表示サイズは縮小されることになる。
【００４５】
尚、表示サイズを拡大及び縮小する方法は、上記の方法に限られない。例えばユーザによるタッチ操作が第1の軌跡を描くたびに表示サイズを第１の倍率で拡大し、ユーザによ
るタッチ操作が第２の軌跡を描くたびに表示サイズを第２の倍率で縮小してもよい。例えば第1の軌跡を時計回りに円を描く軌跡であり、第２の軌跡を反時計回りに円を描く軌跡
である場合に、プロセッサ２００は、時計回りに描かれた円の軌跡を検出する度に、表示サイズを例えば１．２倍に拡大し、反時計回りに描かれた円の軌跡を検出する度に、表示サイズを例えば０．８倍に縮小してもよい。尚、１．２倍、０．８倍は一例であり、他の倍率であってもよく、軌跡に関しても円以外の軌跡であってもよい。
【００４６】
また、表示サイズを拡大及び縮小する方法は、上記の方法に限られない。例えば携帯電話機１００は、予め複数の表示サイズを記憶しており、ユーザは記憶された表示サイズの中から任意の表示サイズを選択することとしてもよい。この場合、プロセッサ２００は、ユーザにより選択された表示サイズに基づき、再度情報をディスプレイ１０２に表示する。具体的には、プロセッサ２００は、０．５倍、０．８倍、１倍、１．５倍、２倍の表示サイズを記憶しており、ユーザにより「２倍」が選択された場合にはディスプレイ１０２に表示された情報を２倍に拡大して表示し、ユーザにより「０．５倍」が選択された場合にはディスプレイ１０２に表示された情報を０．５倍に縮小して表示する。尚、携
帯電話機１００が予め記憶する表示サイズは、０．５倍、０．８倍、１倍、１．５倍、２倍に限られない。他の倍率を記憶してもよい。
【００４７】
本実施例において、ユーザによる操作に基づき表示サイズを大きくする操作、つまりディスプレイ１０２に表示された情報を拡大して表示することを単に拡大操作と称し、ユーザによる操作に基づき表示サイズを小さくする操作、つまりディスプレイ１０２に表示された情報を縮小して表示することを単に縮小操作と称する。
＜リンクの無効化処理について＞
次に、表示サイズの拡大操作及び縮小操作に伴い、リンク情報に対するユーザの操作を無効とする処理について説明する。
【００４８】
図４乃至図６は、プロセッサ２００にて行われる、リンク情報に対するユーザの操作を無効とする処理を示したフローチャートである。図４は、携帯電話機１００が第１のウェブページを受信し、表示するまでの処理を示したフローチャートである。図５及び図６は、リンク情報に対するユーザの操作を無効とする処理を示したフローチャートである。
【００４９】
プロセッサ２００は、ユーザにより第１のウェブページに関する情報が入力された場合（Ｓ４０１のＹＥＳ）、当該情報を第２無線通信回路２０２を介してサーバーに送信する。そして、プロセッサ２００は、第１のウェブページに関する情報を第２無線通信回路２０２を介して受信する（Ｓ４０３）。
【００５０】
プロセッサ２００は、第１のウェブページにリンク情報が貼られている個所が有るか否かを判断する（Ｓ４０４）。リンク情報とは例えばＵＲＬ等である。プロセッサ２００は、リンク情報が貼られている個所があると判断した場合において（Ｓ４０４のＹＥＳ）、当該リンク情報が貼られた個所を含む第１のウェブページをディスプレイ１０２に表示するときは、当該個所を他と区別できる第１の表示態様にて表示する（Ｓ４０５）。第１の表示態様とは、例えば当該個所が文字列の場合には、当該文字列に下線を付与したり、当該文字列を他の文字列と異なる文字色で表示したりすること等である。プロセッサ２００は、Ｓ４０５の処理を実行した後は、図５のＳ５０１に遷移する（Ｓ４０５→Ａ）。
【００５１】
プロセッサ２００は、第１のウェブページにリンク情報が貼られている個所が無いと判断した場合には（Ｓ４０4のＮＯ）、第１のウェブページをそのまま表示する。
【００５２】
図７（Ａ）は、リンク情報を含む第１のウェブページがディスプレイ１０２に表示された一例を示す図である。図７（Ａ）において、「ここ」の文字列７０１にリンク情報が貼られている。このため、「ここ」の文字列７０１に下線を付与すること（第１の表示態様）により他の文字列と区別できるようにしている。尚、本実施例において、第１のウェブページの例として天気情報に関するウェブページを用いるが、必ずしも天気情報に関するウェブページに限られず、他のウェブページでもよい。
【００５３】
次に図５及び図６を用いてリンク情報に対するユーザの操作を無効とする処理を説明する。
【００５４】
プロセッサ２００は、ユーザによりタッチ操作がなされたか否かを検出する（Ｓ５０１）。そしてプロセッサ２００は、ユーザによりタッチ操作がなされたことを検出した場合には（Ｓ５０１のＹＥＳ）、当該操作がリンク情報を選択する操作であるか否かを判断する（Ｓ５０２）。
【００５５】
リンク情報を選択する操作とは、例えばリンク情報が表示された領域内をユーザがタップ操作することであり、例えば図７（Ａ）においてユーザが「ここ」と表示された領域に
対してタップ操作を行った場合に、プロセッサ２００はリンク情報が貼られた個所、つまり文字列７０１を選択する操作であると判断する。尚、リンク情報の選択操作は、タップ操作に限られない。タップ操作以外に、スライド操作、フリック操作等を用いてもよい。
【００５６】
ユーザによりタッチ操作がリンク情報を選択する操作である場合には（Ｓ５０２のＹＥＳ）、プロセッサ２００は、ディスプレイ１０２に表示されている第１のウェブページの表示サイズが基準サイズの所定倍よりも大きいサイズであるか否かを判断する（Ｓ５０３のＹＥＳ）。所定倍とは、基準サイズの１．５倍であってもよいし、基準サイズの２倍であってもよく、任意に所定倍が設定されてもよい。
【００５７】
プロセッサ２００は、表示サイズが基準サイズの所定倍よりも大きいサイズでない場合には（Ｓ５０３のＮＯ）、リンク情報に関連付けられたリンク先のウェブページを取得し、取得したウェブページをディスプレイ１０２に表示する（Ｓ５０５）。
【００５８】
一方、プロセッサ２００は、表示サイズが基準サイズの所定倍以上のサイズである場合には（Ｓ５０３のＹＥＳ）、ユーザによるタッチ操作を無効とする（Ｓ５０４）。つまり、ユーザによるタッチ操作に基づき、リンク先の情報を表示しない。
【００５９】
次にユーザによるタッチ操作がリンク情報の選択操作でない場合には（Ｓ５０２）、プロセッサ２００は、当該タッチ操作が拡大操作か否かを判断する（Ｓ６０１）。
【００６０】
プロセッサ２００は、当該タッチ操作が拡大操作である場合には、拡大操作に基づきウェブページの表示サイズを拡大する（Ｓ６０２）。そしてプロセッサ２００は、拡大後の表示サイズが基準サイズより所定倍以上のサイズであるか否かを判断する（Ｓ６０３）。プロセッサ２００は、所定倍のサイズでない場合には（Ｓ６０３のＮＯ）、リンク情報を第１の表示態様で表示する（Ｓ６０５）。プロセッサ２００は、所定倍以上のサイズである場合には（Ｓ６０３のＹＥＳ）、リンク情報を第１の表示態様とは異なる第２の表示態様で表示する（Ｓ６０４）。尚、第２の表示態様については後述する。
【００６１】
次に、ユーザによるタッチ操作が拡大操作でない場合に（Ｓ６０１のＮＯ）、プロセッサ２００は、当該タッチ操作が縮小操作であるか否かを判断する（Ｓ６０６）。プロセッサ２００は、当該タッチ操作が縮小操作である場合には（Ｓ６０６のＹＥＳ）、縮小操作に基づきウェブページの表示サイズを縮小する（Ｓ６０７）。そしてプロセッサ２００は、縮小後の表示サイズが基準サイズより所定倍以上のサイズであるか否かを判断する（Ｓ６０３）。プロセッサ２００は、所定倍のサイズでない場合には（Ｓ６０３のＮＯ）、リンク情報を第１の表示態様で表示する（Ｓ６０５）。プロセッサ２００は、所定倍以上のサイズである場合には（Ｓ６０３のＹＥＳ）、リンク情報を第１の表示態様とは異なる第２の表示態様で表示する（Ｓ６０４）。
【００６２】
そしてユーザによるタッチ操作が拡大操作及び縮小操作で無い場合には（Ｓ６０６のＮＯ）、プロセッサ２００は、タッチ操作に対応した処理を実行する（Ｓ６０８）。例えばタッチ操作がスライド操作である場合には、プロセッサ２００は当該スライド操作に基づき、ウェブページをスクロールする処理を実行する。
【００６３】
上述の処理により、表示サイズを拡大することに伴いリンク情報の表示サイズが拡大した場合において、ユーザの意図しないタイミングで誤ってリンク情報に関連付けられたリンク先のウェブページが表示されるのを回避することができる。
【００６４】
また上述したように高感度モードに設定されている場合には、タッチと判定するための閾値は低く設定されている。このため高感度モードに設定されている場合には、少しの静
電容量の変化でタッチ又はリリースと判断される虞がある。そしてリンク情報の表示サイズが拡大すればユーザの指等が触れる可能性が高まる。このため高感度モードに設定されている場合において表示サイズが拡大したときは、ユーザの意図しないタイミングでタップ操作が検出され、誤ってリンク情報に関連付けられたリンク先のウェブページが表示される虞がある。この場合においても上述の処理により、ユーザの意図しないタイミングで誤ってリンク情報に関連付けられたリンク先のウェブページが表示されるのを回避することができる。
＜具体的な動作例＞
上述したリンクの無効化処理について、具体的な動作例を図７乃至図９を用いて説明する。
【００６５】
図７は、ユーザがリンク情報の選択操作を行った場合の一例を示す図である。
【００６６】
上述した通り、図７（Ａ）においてディスプレイ１０２には、天気ニュースに関するウェブページが基準サイズで表示されている。当該ウェブページは、リンク情報を含んでおり、図７（Ａ）において「ここ」と記載された文字列７０１が対応する。図７（Ａ）において、当該リンク情報に対応する箇所、つまり「ここ」と記載された箇所は、他の情報と区別するために下線が付与されている。
【００６７】
ユーザが文字列７０１に対してタップ操作を行った場合は、つまりプロセッサ２００が「ここ」と表示された領域内においてタップ操作を検出した場合は、携帯電話機１００は、リンク情報に関連付けられたリンク先のウェブページを取得し、新たに取得したウェブページをディスプレイ１０２に表示する。図７（Ｂ）は、図７（Ａ）においてユーザが「ここ」と記載された箇所に対してタップ操作を行うことにより、新たなウェブページが表示されたことを示している。尚、文字列７０２は、新たなウェブページが有するリンク情報である。
【００６８】
図８は、ユーザが拡大操作を行った場合の一例を示す図である。
【００６９】
図８（Ａ）においてユーザが表示サイズの拡大操作を行った場合は、ウェブページの表示サイズは拡大され、例えば図８（Ｂ）のように表示される。図８（Ｂ）における拡大操作後の表示サイズは、基準サイズより所定倍大きくないサイズである。このため、図８（Ｂ）における「ここ」と表示された箇所は、図８（Ａ）と同様の表示態様、つまり下線が引かれている。図８（Ａ）及び図８（Ｂ）においてユーザが「ここ」と表示された箇所にタップ操作を行った場合には、図７（Ｂ）に示したように新たなウェブページが表示される。
【００７０】
図８（Ｂ）においてユーザが更に表示サイズの拡大操作を行った場合は、ウェブページの表示サイズは更に拡大され、例えば図８（Ｃ）にように表示される。図８（Ｃ）における表示サイズは、基準サイズより所定倍大きいサイズである。このため、図８（Ｃ）における「ここ」と表示された箇所は図８（Ａ）及び（Ｂ）等とは異なる表示態様で表示されている。図８（Ｃ）において「ここ」と表示された箇所には枠８０１が付されている。図８（Ｃ）においてユーザが「ここ」と表示された箇所にタップ操作を行った場合には、プロセッサ２００は当該タップ操作を無効として処理するため、図７（Ｂ）のような新たなウェブページは表示されず、図８（Ｃ）の表示が維持される。尚、図８（Ｃ）においては、第２の表示態様の一例として枠を付することを用いたが、枠や下線などを付さず、つまり他の文字列と区別して表示することなく、単に「ここ」と表示してもよい。
【００７１】
図９は、ユーザが縮小処理を行った場合の一例を示す図である。
【００７２】
図９（Ａ）においてユーザが表示サイズの縮小処理を行った場合には、例えば図９（Ｂ）のような表示に遷移する。図９（Ｂ）における表示サイズは、基準サイズよりも小さいサイズであるため、リンク情報である文字列７０１は第１の表示態様で表示されている。尚、文字列９０１は、文字列７０１に対応するリンク情報とは異なるリンク情報である。文字列７０１に対してタップ操作が検出されると、図７（Ｂ）の表示がなされる。
＜変形例について＞
（１）本実施例においては、高感度モード及び通常モードの区別なく表示サイズが基準サイズの所定倍より大きいサイズのときにリンク情報の選択操作を無効にすることで記載したが、必ずしもこの場合に限られない。高感度モードに設定された場合において表示サイズが基準サイズの所定倍より大きいサイズのときにリンク情報の選択操作を無効としてもよく、通常モードに設定された場合にはリンク情報の選択操作を無効とする処理を実行しなくてもよい。これにより誤操作が生じやすい場合に当該処理を実行することになるため、ユーザは、通常モードにおいては表示サイズを気にする必要がなくなる。
【００７３】
（２）図６のＳ６０４において、プロセッサ２００は第２の表示態様で表示することを記載したが、必ずしもこの場合に限られない。例えばプロセッサ２００は、第１の表示態様を維持し、ユーザがリンク情報にタップ操作を行った場合には、プロセッサ２００は、当該操作が無効であることをユーザに文字情報等で通知してもよい。またプロセッサ２００は、文字情報に代えてバイブレータ２０１を用いて自機を振動させることにより当該操作が無効であることを通知してもよい。
【００７４】
（３）本実施例において、リンク情報の選択操作は、タップ操作に限られない。例えばロングタップ操作であってもよいし、フリック操作であってもよい。
【００７５】
（４）本実施例において、リンク情報が第２の表示態様で表示されている場合はリンク情報の選択操作を無効とすることで記載したが、必ずしも無効とする場合に限られない。例えばプロセッサ２００は、リンク情報が第１の表示態様で表示されている場合には、リンク情報に対してタップ操作が検出されるとリンク先のウェブページを表示し、リンク情報が第２の表示態様で表示されている場合には、リンク情報に対してロングタッチ操作が検出されるとリンク先のウェブページを表示することとしてもよい。つまり、プロセッサ２００は、リンク情報が第１の表示態様で表示されている場合は、リンク情報に対して第１のタッチ操作が検出されたときにリンク先のウェブページを表示し、リンク情報が第２の表示態様で表示されている場合は、第１のタッチ操作とは異なる第２のタッチ操作が検出されたときにリンク先のウェブページを表示してもよい。具体的には、図８（Ｃ）において「ここ」が第２の表示態様に表示されている場合において、「ここ」が表示された個所に対してタップ操作とは異なる操作、例えばロングタップ操作又はフリック操作等が検出されると、プロセッサ２００はリンク先のウェブページを取得し、図７（Ｂ）に示すようにディスプレイ１０２にリンク先のウェブページを表示してもよい。
【００７６】
（５）本実施例及び上記の（１）において、通常モード及び高感度モードに関わらずリンク情報が第１の表示態様で表示されている場合にはタップ操作に基づきリンク先のウェブページを表示することで記載したが必ずしもこの場合に限られない。例えば、リンク情報が第１の表示態様で表示されている場合であっても、通常モードの場合にはタップ操作に基づきリンク先のウェブページを表示し、高感度モードの場合にはタップ操作とは異なる操作、例えばロングタッチ操作及びフリック操作等に基づきリンク先のウェブページを表示してもよい。
【００７７】
（６）変形例（１）に変形例（５）を組み合わせる場合には、プロセッサ２００は、通常モードにおいてリンク情報に対して第３の操作が検出されるとリンク先のウェブページをディスプレイ１０２に表示し、高感度モードにおいてリンク情報が第１の表示態様で表
示されているときは第４の操作が検出されるとリンク先のウェブページをディスプレイ１０２に表示し、高感度モードにおいてリンク情報が第２の表示態様で表示されているときは第５の操作が検出されるとリンク先のウェブページをディスプレイ１０２に表示してもよい。
【００７８】
（７）本実施例ではウェブページを例として説明したが、必ずしもウェブページのみを対象としない。特定の文字列等に所定の処理が関連付けられており、当該特定の文字列に対して所定のタッチ操作を実行した場合に当該所定の処理が実行される場面においても本実施例を適用することができる。
【００７９】
メール等においては、特定の文字列に対して特定のアプリケーションプログラムが関連付けられている。例えば電話番号に対して通話に関するアプリケーションプログラム、メールアドレスに対してはメールに関するアプリケーションプログラム、年月日に対してはカレンダーに関するアプリケーションプログラムが関連付けられている場合がある。ユーザが電話番号等に対してタップ操作等を行うと、関連付けられているアプリケーションが実行され、実行されたアプリケーションプログラムの画面がディスプレイ１０２に表示される。この場合、表示サイズが基準サイズよりも所定倍以上大きいときは、ユーザが電話番号等に対してタッチ操作を行ったとしても、電話番号等のアプリケーションプログラムを実行しないこととしてもよい。
【００８０】
また携帯電話機１００が有する機能やアプリケーションプログラムを検索する際にも適用できる。検索した結果、アプリケーションプログラムの名称や機能の名称等の一覧が検索結果として表示される場合がある。ユーザがいずれか一つの検索結果にタッチ操作を行うと、タッチ操作されたアプリケーションプログラムの名称に対応するアプリケーションプログラムが実行されたり、タッチ操作された機能の名称に対応する機能の設定画面が表示されたりする場合がある。この場合、表示サイズが基準サイズよりも所定倍以上大きいときは、ユーザが検索結果に対してタッチ操作を行ったとしても、タッチ操作されたアプリケーションの名称に対応するアプリケーションを実行しないこととしてもよく、タッチ操作された機能の名称に対応する機能の設定画面を表示しないこととしてもよい。
【００８１】
上述の例以外にも、所定の処理が関連付けられている特定の文字列を少なくとも一部に含む情報を表示する場合には、本実施の形態を適用することができる。
【００８２】
（８）本実施例では、リンク情報として特定の文字列を用いて記載し、上記変形例においては特定の文字列に対して所定の処理が関連付けられているとして説明したが、必ずしも文字列だけに限定されない。特定の文字列ではなく、例えば文字列を含まない画像に対して所定の処理を関連付けても良く、リンク情報として当該画像を用いてもよい。また文字列と画像との組み合わせであってもよく、画像は文字列を含んでいても良い。
【００８３】
なお、上記の各例では、スマートフォン等の携帯電話機１００に適用する場合を例にあげて説明したが、本実施の形態は、タッチパネル１０３を有し、ウェブページの取得及び表示をすることができる他の携帯電子機器にも適用することができる。例えば、パーソナルコンピュータ、タブレット端末、あるいは腕などに装着するウェアラブルタイプの携帯電子機器等にも適用することができる。
【００８４】
以上のように、携帯電話機１００は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【００８５】
１００  携帯電話機、１０２  ディスプレイ、１０３  タッチパネル、１０４  スピーカ、１０５  マイク、１０７  近接センサ、１０８  照度センサ、２００  プロセッサ、２０１  第１無線通信回路、２０２  第２無線通信回路、２０５  入力装置、２０６  表示ドライバ、２０７  フラッシュメモリ、２０８  ＲＡＭ、２０９  タッチパネル制御回路、２１０  バイブレータ
【図１】
0006580903.tif 000002
【図２】
0006580903.tif 000003
【図３】
0006580903.tif 000004
【図４】
0006580903.tif 000005
【図５】
0006580903.tif 000006
【図６】
0006580903.tif 000007
【図７】
0006580903.tif 000008
【図８】
0006580903.tif 000009
【図９】
0006580903.tif 000010